【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
コネクテッド自動運転車両幹線道路（CAVH）システムに車両の操作及び制御を提供するインテリジェント道路インフラストラクチャシステム（IRIS）であり、前記インテリジェント道路インフラストラクチャシステム（IRIS）は、
a）複数路側ユニット（RSUs）を有する路側ユニット（RSU）ネットワーク
b）交通管制ユニット（TCU）及び交通管制センター（TCC）
c）車両オンボードユニット（OBU）及び車両インターフェース
d）交通オペレーションセンター、及び/又は
e）情報及びコンピューティングサービスのクラウドベースのプラットフォーム
を含み、
前記交通制御センター（TCC）は、交通オペレーションの最適化、データ処理及びアーカイブ機能を提供し、又はヒューマンオペレーションインターフェースを提供するように構成され、
前記交通管制ユニット（TCU）は、自動化されたリアルタイムな車両制御及びデータ処理機能を提供するように構成され、
前記路側ユニット（RSU）のネットワークは、接続された車両からのデータフローを受信して、交通状況を検知し、対象とした命令を車両に送信するように構成される、ことを特徴とするインテリジェント道路インフラストラクチャシステム。
【請求項２】
詳細なカスタマイズされた情報及びタイムセンシティブな制御命令を提供するように構成される、ことを特徴とする請求項１に記載のインテリジェント道路インフラストラクチャシステム。
【請求項３】
車両にオペレーション及びメンテナンスのサービスを提供するように構成される、ことを特徴とする請求項１に記載のインテリジェント道路インフラストラクチャシステム。
【請求項４】
システムは、以下の機能カテゴリのうち１つ以上を管理する、請求項1に記載のシステム。
a）感知機能
b）交通行動予測及び管理機能
c）計画及び意思決定機能、及び/又は
d）車両制御機能
を管理するように構成される、ことを特徴とする請求項１に記載のインテリジェント道路インフラストラクチャシステム。
【請求項５】
前記感知機能は、交通行動予測及び管理、計画及び意思決定、及び/又は車両制御のために情報を提供する、ことを特徴とする請求項４に記載のインテリジェント道路インフラストラクチャシステム。
【請求項６】
a）有線及び無線媒体を介した、リアルタイムな通信を提供するように構成される要素
b）電源ネットワーク、及び/又は
c）サイバーセーフティ及びセキュリティシステム
を更に備える、ことを特徴とする請求項１に記載のインテリジェント道路インフラストラクチャシステム。
【請求項７】
前記RSUsは、リアルタイムな車両環境感知及び交通行動予測を提供するように構成される、
ことを特徴とする請求項１に記載のインテリジェント道路インフラストラクチャシステム。
【請求項８】
前記RSUsは、車両オンボードユニット（OBUs）を介して個々の車両のために迅速な制御命令を送信するように構成される、
ことを特徴とする請求項１に記載のインテリジェント道路インフラストラクチャシステム。
【請求項９】
前記TCU/TCC及び交通オペレーションセンターは、
a）交通行動予測及び管理
b）計画及び意思決定、及び
c）交通情報の収集及び/又は処理
をするように構成される、ことを特徴とする請求項１に記載のインテリジェント道路インフラストラクチャシステム。
【請求項１０】
前記OBUsは、通信モジュールを備え、
前記通信モジュールは、
a）車両情報をRSUsに送信
b）RSUsから情報及び/又は制御命令を受信、及び/又は
c）他のOBUsとテータを交換
するように構成される、ことを特徴とする請求項１に記載のインテリジェント道路インフラストラクチャシステム。
【請求項１１】
前記OBUsは、データ収集モジュールを備え、
前記データ収集モジュールは、
車両の状態と人の状態を監視する車両センサからデータを収集するように構成される、ことを特徴とする請求項１に記載のインテリジェント道路インフラストラクチャシステム。
【請求項１２】
前記OBUsは、車両制御モジュールを備え、
前記車両制御モジュールは、
RSUから受信した車両制御命令を実行するように構成される、ことを特徴とする請求項１に記載のインテリジェント道路インフラストラクチャシステム。
【請求項１３】
a）個々の車両を対象とする、微視的レベル
b）道路コリドー及びセグメントを対象とするメゾスコピックレベル、及び/又は
c）道路ネットワークを対象とする巨視的レベル
車両を管理し、以上a）〜c）のスケールで車両に情報を提供するように構成される、ことを特徴とする請求項１に記載のインテリジェント道路インフラストラクチャシステム。
【請求項１４】
a）前記微視的レベルでの管理は、車両の縦方向移動及び/又は車両の横方向移動を含み、
b）前記メゾスコピックレベルでの管理は、車両に特殊イベントの通知、インシデント予測、織込みセグメントの合流及び分流、プラトーン分裂及び統合、可変速度制限予測及び反応、セグメント所要時間予測、及び/又はセグメント交通流予測を含み、
c）前記巨視的レベルでの管理は、潜在的渋滞予測、潜在的インシデント予測、ネットワーク交通需要予測、ネットワーク状態予測、及び/又はネットワーク所要時間予測を含む、
ことを特徴とする請求項１３に記載のインテリジェント道路インフラストラクチャシステム。
【請求項１５】
a）最大可能交通容量に到達するために、車間距離及び/又は速度を制御する
b）事故を予測及び/又は検知し、警告メッセージ及び衝突回避命令を車両に送信する
c）車線の分離と間隔および車線変更を制御する
d）道路の曲率、道路の高度、道路の形状、および/または舗装の状態に合わせて車速と方向を調整します
e）CAVHシステムへの進入を要求する車両の車両許可を確認し、CAVHシステムから退出する車両に制御命令を提供することにより、CAVHシステムの境界を管理します
f）プラトーン制御及びフリート管理をする
g）システム障害の安全対策を提供する
h）AVHシステムの管理目標に優先順位を付ける
ように構成される、ことを特徴とする請求項１に記載のインテリジェント道路インフラストラクチャシステム。
【請求項１６】
a）インシデントを予測および/または検出し、さらなるアクションのために機関と調整する
b）交通に関するインシデント警告と再ルーティングの指示を提供する、および/または
c）車両に制御指示を送信して、車両を安全な場所に移動する
ように構成される、ことを特徴とする請求項１に記載のインテリジェント道路インフラストラクチャシステム。
【請求項１７】
a）運転環境を検知するための感知モジュール
b）有線又は無線媒体を介して、車両、TCUs、クラウドと通信するための通信モジュール
c）感知及び通信モジュールからのデータを処理する、データ処理モジュール
d）データ処理モジュールと通信モジュール間で通信する、インターフェースモジュール
e）バックアップ冗長化により、地域の送電網の状況に応じて電源供給を調節する、適応型電源モジュール
を備える、ことを特徴とする請求項１に記載のインテリジェント道路インフラストラクチャシステム。
【請求項１８】
前記感知モジュールは、以下のフロー型センサのうち１つ以上を含む、請求項40に記載のシステム。
a）視覚センサと協働し、運転環境及び車両属性データを感知する、レーダーベースのセンサ
b）レーダーセンサと協働し、運転環境データを提供する、視覚センサ
c）慣性航法装置と協働し、車両位置特定をサポートする、衛生ナビゲーションシステム
d）衛生ナビゲーションシステムを協働し、車両位置特定をサポートする、慣性航法装置
e）車両識別デバイス
を含む、ことを特徴とする請求項１７に記載のインテリジェント道路インフラストラクチャシステム。
【請求項１９】
ポイント又はセグメントTCUはRSUと物理的に結合又は統合される、
ことを特徴とする請求項１に記載のインテリジェント道路インフラストラクチャシステム。
【請求項２０】
a）IRISの追加のストレージのニーズを満たす、ストレージ・アズ・ア・サービス（STaaS）
b）IRISへのサービスとして、追加の制御能力を提供する、コントロール・アズ・ア・サービス（CCaaS）
c）追加の計算リソースが必要な、IRISのエンティティ又はエンティティグループを提供する、コンピューティング・アズ・ア・サービス（CaaS）、及び／又は、
d）IRISへのサービスとして、追加の感知能力を提供する、センシング・アズ・ア・サービス（SEaaS）
前記クラウドベースのプラットフォームは、以上から成る情報及びコンピューティングサービスを提供する、
ことを特徴とする請求項１に記載のインテリジェント道路インフラストラクチャシステム。
【請求項２１】
仮想信号機制御機能を提供するように構成される、
ことを特徴とする請求項１に記載のインテリジェント道路インフラストラクチャシステム。
【請求項２２】
交通状態推定機能を提供するように構成される、
ことを特徴とする請求項１に記載のインテリジェント道路インフラストラクチャシステム。
【請求項２３】
前記交通状態推定機能は、センサデータの品質を使用してデータに重みを割り当てて重み付きデータを生成し、重み付きデータを融合することによって交通を推定する、
ことを特徴とする請求項２２に記載のインテリジェント道路インフラストラクチャシステム。
【請求項２４】
フリートメンテナンス機能を提供するように構成される、
ことを特徴とする請求項１に記載のインテリジェント道路インフラストラクチャシステム。
【請求項２５】
a）1から10ミリ秒までの微視的レベル
b）10から1000ミリ秒までのメゾスコピックレベル
c）1秒を超える巨視的レベル
感知、予測、計画及び意思決定を実現し、以上の３つのレベルで制御するため、計算能力を割り当てるように構成される、
ことを特徴とする請求項１に記載のインテリジェント道路インフラストラクチャシステム。
【請求項２６】
a）高速道路
b）ハイオキュパンシー／トール（HOT）車線
c）ダイナミックショルダー車線
d）エクスプレス車線
e）都市幹線道路
上記道路施設における交通を管理するように構成される、
ことを特徴とする請求項１に記載のインテリジェント道路インフラストラクチャシステム。
【請求項２７】
a）高精度地図サービス
b）現場特有の道路気象情報、及び/又は
c）現場特有の道路気象情報によってサポートされ、悪天候のために設計された車両制御アルゴリズム
悪天候下の車両オペレーション及び制御のために、以上を含む更なる安全及び効率化対策を提供するように構成される、
ことを特徴とする請求項１に記載のインテリジェント道路インフラストラクチャシステム。
【請求項２８】
a）ファイアウォール、定期的なシステムスキャン、安全性が保証されたハードウェアのインストール、アクセス制御、識別トラッカーから成る、ネットワークセキュリティ及び物理的機器セキュリティ機能
b）故障した対応物を補うために待機しているハードウェア及び/又はソフトウェアリソースから成る、システムの冗長化機能
c）システムのバックアップ及びリストア機能、及び
d）故障が検知された場合に作動する、システムフェイルハンドオーバー機能
以上の機能を含むセキュリティ、冗長化、レジリエンシー機能を提供するように構成される、
ことを特徴とする請求項１に記載のインテリジェント道路インフラストラクチャシステム。
【請求項２９】
接続された車両を管理する方法であって、
前記方法は、コネクテッド自動運転車両幹線道路（CAVH）システムに車両の操作及び制御を提供するインテリジェント道路インフラストラクチャシステム（IRIS）を含み、
前記インテリジェント道路インフラストラクチャシステム（IRIS）は、
a）複数路側ユニット（RSUs）を有する路側ユニット（RSU）ネットワーク
b）交通管制ユニット（TCU）及び交通管制センター（TCC）
c）車両オンボードユニット（OBU）及び車両インターフェース
d）交通オペレーションセンター、及び/又は
e）情報及びコンピューティングサービスのクラウドベースのプラットフォーム
を含み、
前記交通制御センター（TCC）は、交通オペレーションの最適化、データ処理及びアーカイブ機能を提供し、又はヒューマンオペレーションインターフェースを提供するように構成され、
前記交通管制ユニット（TCU）は、自動化されたリアルタイムな車両制御及びデータ処理機能を提供するように構成され、
前記路側ユニット（RSU）のネットワークは、接続された車両からのデータフローを受信して、交通状況を検知し、対象とした命令を車両に送信するように構成される、ことを特徴とする接続された車両を管理する方法。